(57)【要約】【課題】  アレイ基板、アレイ基板を有する表示装置、及びアレイ基板のリペアー方法を提供する。【解決手段】  アレイ基板、アレイ基板を有する表示装置、及びアレイ基板のリペアー方法において、基板は表示領域と、表示領域に隣接した周辺領域とに区分される。多数のファンアウトラインは、周辺領域に対応して基板上に形成される。多数の信号ラインは、表示領域に対応して基板上に形成され、多数のファンアウトラインと電気的に接続される。リペアー部は周辺領域に対応して基板上に形成され、多数のファンアウトラインと絶縁されて交差する。リペアー部は、多数のファンアウトラインのうちの一つのファンアウトラインが断線された時、その一つのファンアウトラインと電気的に接続され、その一つのファンアウトラインをリペアーする。従って、アレイ基板の歩留まりを向上させることができ、信号の歪みを防止することができる。【選択図】  図１
2006171672.tif 000002
【特許請求の範囲】
【請求項１】
表示領域と、前記表示領域に隣接した周辺領域とを有する基板と、
前記基板の前記周辺領域に形成され、駆動信号の入力を受ける複数のファンアウトラインと、
前記基板の前記表示領域に形成され、前記複数のファンアウトラインと電気的に接続され、前記複数のファンアウトラインから前記駆動信号の入力を受ける複数の信号ラインと、
前記基板の前記表示領域に形成され、前記複数の信号ラインから前記駆動信号の入力を受ける画素アレイと、
前記基板の前記周辺領域に形成され、前記複数のファンアウトラインと絶縁されて交差し、前記複数のファンアウトラインのうちの一つのファンアウトラインが断線された時に、前記一つのファンアウトラインをリペアーするためのリペアー部と、
を含むアレイ基板。
【請求項２】
前記リペアー部は、
前記複数のファンアウトラインの第１端部と絶縁されて交差する第１リペアーラインと、
前記複数のファンアウトラインの第２端部と絶縁されて交差する第２リペアーラインと
を含む、
ことを特徴とする請求項１に記載のアレイ基板。
【請求項３】
前記第１リペアーライン及び前記第２リペアーラインは、前記複数のファンアウトラインと異なる層に具備される、ことを特徴とする請求項２に記載のアレイ基板。
【請求項４】
前記第１リペアーラインと前記一つのファンアウトラインの第１端部とが絶縁されて交差する領域へレーザーを照射する処理により、該領域において前記第１リペアーラインと前記一つのファンアウトラインの第１端部とが電気的に接続され、
前記第２リペアーラインと前記一つのファンアウトラインの第２端部とが絶縁されて交差する領域へレーザーを照射する処理により、該領域において前記第２リペアーラインと前記一つのファンアウトラインの第２端部とが電気的に接続される、
ことを特徴とする請求項２または３に記載のアレイ基板。
【請求項５】
前記第１リペアーライン及び前記第２リペアーラインの配線幅は、前記複数のファンアウトラインと交差する領域よりも、交差していない領域の方が広い、ことを特徴とする請求項２ないし４の何れかに記載のアレイ基板。
【請求項６】
前記リペアー部は、前記第１リペアーラインと前記第２リペアーラインとを電気的に接続する接続ラインを更に含む、ことを特徴とする請求項２記載のアレイ基板。
【請求項７】
前記接続ラインは、前記第１リペアーライン及び前記第２リペアーラインと異なる層に具備される、ことを特徴とする請求項６に記載のアレイ基板。
【請求項８】
前記第１リペアーライン及び前記第２リペアーラインが前記一つのファンアウトラインと電気的に接続される場合に、前記接続ラインと、前記第１リペアーライン及び前記第２リペアーラインとが交差するそれぞれの領域へレーザーを照射する処理により、前記接続ラインと前記第１リペアーライン及び前記第２リペアーラインとが電気的に接続される、ことを特徴とする請求項７に記載のアレイ基板。
【請求項９】
前記接続ラインは、前記第１リペアーライン及び前記第２リペアーラインと同一層に具備されることを特徴とする請求項６に記載のアレイ基板。
【請求項１０】
前記複数のファンアウトラインのうちの別の一つのファンアウトラインが断線された時に、前記別の一つのファンアウトラインをリペアーするダミーリペアー部を更に含むことを特徴とする請求項１に記載のアレイ基板。
【請求項１１】
前記ダミーリペアー部は、
前記複数のファンアウトラインの第１端部と絶縁されて交差する第１ダミーリペアーラインと、
前記複数のファンアウトラインの第２端部と絶縁されて交差する第２ダミーリペアーラインと、
前記第１ダミーリペアーラインと前記第２ダミーリペアーラインとを電気的に接続するダミー接続ラインと、
を含む、
ことを特徴とする請求項１０に記載のアレイ基板。
【請求項１２】
前記第１ダミーリペアーライン及び前記第２ダミーリペアーラインは、前記複数のファンアウトラインと異なる層に具備され、
前記ダミー接続ラインは、前記複数のファンアウトラインと同一層に具備される、
ことを特徴とする請求項１１に記載のアレイ基板。
【請求項１３】
前記複数の信号ラインは、
前記駆動信号のうちのゲート信号が提供される複数のゲートラインと、
前記複数のゲートラインと異なる層に具備され、前記複数のゲートラインと絶縁され交差し、前記駆動信号のうちのデータ信号が提供される複数のデータラインと
を含む、
ことを特徴とする請求項１に記載のアレイ基板。
【請求項１４】
前記複数のゲートラインと絶縁されて交差し、前記複数のゲートラインのうちの一つのゲートラインが断線された時に、前記一つのゲートラインと電気的に接続され、前記一つのゲートラインをリペアーする第３リペアー部と、
前記複数のデータラインと絶縁されて交差し、前記複数のデータラインのうちの一つのデータラインが断線された時に、前記一つのデータラインと電気的に接続され、前記一つのデータラインをリペアーする第４リペアー部と、
を更に含むことを特徴とする請求項１３に記載のアレイ基板。
【請求項１５】
アレイ基板と、
前記アレイ基板と対向して配置される対向基板と、
前記アレイ基板上に実装され、駆動信号を出力する駆動部と、
を含み、
前記アレイ基板は、
表示領域と、前記表示領域に隣接した周辺領域とを有する基板と、
前記基板の前記周辺領域に形成され、前記駆動信号の入力を受ける複数のファンアウトラインと、
前記基板の前記表示領域に形成され、前記複数のファンアウトラインと電気的に接続され、前記複数のファンアウトラインから前記駆動信号の入力を受ける前記複数の信号ラインと、
前記基板の前記表示領域に形成され、前記複数の信号ラインから前記駆動信号の入力を受ける画素アレイと、
前記基板の前記周辺領域に形成され、前記複数のファンアウトラインと絶縁されて交差し、前記複数のファンアウトラインのうちの一つのファンアウトラインが断線された時に、前記一つのファンアウトラインをリペアーするリペアー部と、
を含む、
表示装置。
【請求項１６】
前記駆動部は、
前記駆動信号のうちのゲート信号を出力するゲート駆動チップと、
前記駆動信号のうちのデータ信号を出力するデータ駆動チップと、
を含む、
ことを特徴とする請求項１５に記載の表示装置。
【請求項１７】
前記複数の信号ラインは、
前記駆動信号のうちのゲート信号が提供される複数のゲートラインと、
前記複数のゲートラインと異なる層に具備され、前記複数のゲートラインと絶縁され交差し、前記駆動信号のうちのデータ信号が提供される複数のデータラインと、
を含む、
ことを特徴とする請求項１６に記載の表示装置。
【請求項１８】
前記複数のファンアウトラインは、
前記ゲート駆動チップと前記複数のゲートラインとの間に具備され、前記ゲート駆動チップから出力された前記ゲート信号を前記複数のゲートラインに提供する複数のゲート側ファンアウトラインと、
前記データ駆動チップと前記複数のデータラインとの間に具備され、前記データ駆動チップから出力された前記データ信号を前記複数のデータラインに提供する複数のデータ側ファンアウトラインと、
を含む、
ことを特徴とする請求項１７に記載の表示装置。
【請求項１９】
前記リペアー部は、
前記複数のゲート側ファンアウトラインと絶縁されて交差し、前記複数のゲート側ファンアウトラインのうちの断線した一つのファンアウトラインをリペアーする第１リペアー部と、
前記複数のデータ側ファンアウトラインと絶縁されて交差し、前記複数のデータ側ファンアウトラインのうちの断線した一つのファンアウトラインをリペアーする第２リペアー部と、
を含むことを特徴とする請求項１８記載の表示装置。
【請求項２０】
アレイ基板と、
前記アレイ基板と対向して結合する対向基板と、
前記アレイ基板上に取り付けられ、前記アレイ基板にゲート信号を提供するゲート駆動チップと、
前記アレイ基板上に取り付けられ、前記アレイ基板にデータ信号を提供するデータ駆動チップと、
を含み、
前記アレイ基板は、
表示領域と、前記表示領域に隣接する周辺領域とを有する基板と、
前記基板の前記周辺領域に形成され、前記ゲート駆動チップから前記ゲート信号の入力を受ける複数のゲート側ファンアウトラインと、
前記基板の前記周辺領域に形成され、前記データ駆動チップから前記データ信号の入力を受ける複数のデータ側ファンアウトラインと、
前記基板の前記表示領域に形成され、前記ゲート側ファンアウトラインと電気的に接続され、前記ゲート側ファンアウトラインから前記ゲート信号の入力を受けるゲートラインと、
前記基板の前記表示領域に形成され、前記データ側ファンアウトラインと電気的に接続され、前記データ側ファンアウトラインから前記データ信号の入力を受けるデータラインと、
前記基板の前記周辺領域に形成され、前記ゲート側ファンアウトラインと絶縁されて交差し、前記ゲート側ファンアウトラインのうちの１つのファンアウトラインが断線された時に、前記１つのファンアウトラインをリペアーするゲート側リペアー部と、
前記基板の前記周辺領域に形成され、前記ゲート側ファンアウトラインと絶縁されて交差し、前記ゲート側ファンアウトラインのうちの別の１つのファンアウトラインが更に断線された時に、前記別の１つのファンアウトラインをリペアーするダミーゲート側リペアー部と、
前記基板の前記周辺領域に形成され、前記データ側ファンアウトラインと絶縁されて交差し、前記データ側ファンアウトラインのうちの１つのファンアウトラインが断線された時に、前記１つのファンアウトラインをリペアーするデータ側リペアー部と、
前記基板の前記周辺領域に形成され、前記データ側ファンアウトラインと絶縁されて交差し、前記データ側ファンアウトラインのうちの別の１つのファンアウトラインが更に断線された時に、前記別の１つのファンアウトラインをリペアーするダミーデータ側リペアー部と、
を含む、
表示装置。
【請求項２１】
複数のファンアウトラインのうちの一つのファンアウトラインが断線された時に、前記一つのファンアウトラインの第１端部と第１リペアーラインとが交差する領域にレーザーを照射して、前記一つのファンアウトラインと前記第１リペアーラインとを電気的に接続させる段階と、
前記一つのファンアウトラインの第２端部と第２リペアーラインとが交差する領域にレーザーを照射して、前記一つのファンアウトラインと前記第２リペアーラインとを電気的に接続させる段階と、
前記第１リペアーラインと接続ラインとが交差する領域にレーザーを照射して、前記第１リペアーラインと前記接続ラインとを電気的に接続させる段階と、
前記第２リペアーラインと前記接続ラインとが交差する領域にレーザーを照射して、前記第２リペアーラインと前記接続ラインとを電気的に接続させる段階と、
を含むリペアー方法。
【請求項２２】
複数のファンアウトラインのうちの一つのファンアウトラインが断線された時に、前記一つのファンアウトラインの第１端部と第１リペアーラインとが交差する領域にレーザーを照射して、前記一つのファンアウトラインと前記第１リペアーラインとを電気的に接続させる段階と、
前記第１リペアーラインと電気的に接続された第２リペアーラインと前記一つのファンアウトラインの第２端部とが交差する領域にレーザーを照射して、前記一つのファンアウトラインと前記第２リペアーラインとを電気的に接続させる段階と、
を含むリペアー方法。
【発明の詳細な説明】
【技術分野】
【０００１】
本発明は、アレイ基板、アレイ基板を有する表示装置、及びアレイ基板のリペアー方法に関し、より詳細には、歩留まりを向上させながら、信号の歪みを防止することができるアレイ基板、アレイ基板を有する表示装置、及びアレイ基板のリペアー方法に関する。
【背景技術】
【０００２】
一般に、液晶表示装置は、アレイ基板、アレイ基板と向かい合う上部基板、及びアレイ基板と対向基板（上部基板）との間に介在する液晶層で構成された液晶表示パネルを具備する。
【０００３】
アレイ基板の表示領域には、多数のゲートライン及び多数のゲートラインと直交する多数のデータラインが具備される。液晶表示パネルの周辺領域には、ゲート信号を出力するゲート駆動チップ、及びデータ信号を出力するデータ駆動チップが実装される。
【０００４】
ゲート駆動チップと多数のゲートラインとの間には、多数のゲート側ファンアウトラインが更に具備される。多数のゲート側ファンアウトラインは、ゲート駆動チップから出力されたゲート信号を多数のゲートラインに提供する。
【０００５】
データ駆動チップと多数のデータラインとの間には、多数のデータ側ファンアウトラインが更に具備される。多数のデータ側ファンアウトラインは、データ駆動チップから出力されたデータ信号を多数のデータラインに提供する。
【０００６】
一般に、多数のゲート側及びデータ側のファンアウトラインは、液晶表示パネルのアレイ基板の周辺領域で所定の形態に曲げられる。しかし、曲げられた部分で多数のゲート側及びデータ側のファンアウトラインの断線発生率が増加し、その結果、液晶表示パネルの全体的な歩留まりが低下する。
【発明の開示】
【発明が解決しようとする課題】
【０００７】
従って、本発明の目的は、液晶表示パネルの製造の歩留まりを向上させ、且つ信号の歪みを防止するアレイ基板を提供することにある。
【０００８】
また、本発明の他の目的は、上述のアレイ基板を有する表示装置を提供することにある。
【０００９】
また、本発明の更に他の目的は、上述のアレイ基板をリペアー（修復）するのに適用される方法を提供することにある。
【課題を解決するための手段】
【００１０】
本発明の一特徴を備えるアレイ基板は、基板、多数のファンアウトライン、多数の信号ライン、画素アレイ、及びリペアー部を含む。
【００１１】
基板は、表示領域と、表示領域に隣接した周辺領域とに区分される。多数のファンアウトラインは、周辺領域に対応して基板上に形成され、外部から駆動信号の入力を受ける。多数の信号ラインは、表示領域に対応して基板上に形成され、多数のファンアウトラインと電気的に接続され、多数のファンアウトラインから駆動信号の入力を受ける。
【００１２】
画素アレイは、表示領域に対応して基板上に形成され、多数の信号ラインから駆動信号の入力を受ける。リペアー部は、周辺領域に対応して基板上に形成され、多数のファンアウトラインと絶縁されて交差する。リペアー部は、多数のファンアウトラインのうち、いずれか一つのファンアウトラインが断線される時、その一つのファンアウトラインをリペアー（修復）する。
【００１３】
本発明の他の特徴を備える表示装置は、アレイ基板、アレイ基板と対向して結合する対向基板、及びアレイ基板上に実装されアレイ基板に駆動信号を提供する駆動部を含む。
【００１４】
アレイ基板は、基板、多数のファンアウトライン、多数の信号ライン、画素アレイ、及びリペアー部を含む。
【００１５】
基板は、表示領域と、表示領域に隣接した周辺領域とに区分される。多数のファンアウトラインは、周辺領域に対応して基板上に形成され、外部から駆動信号の入力を受ける。多数の信号ラインは、表示領域に対応して基板上に形成され、多数のファンアウトラインと電気的に接続され、多数のファンアウトラインから駆動信号の入力を受ける。
【００１６】
画素アレイは、表示領域に対応して基板上に形成され、多数の信号ラインから駆動信号の入力を受ける。リペアー部は、周辺領域に対応して基板上に形成され、多数のファンアウトラインと絶縁されて交差する。リペアー部は、多数のファンアウトラインのうち、いずれか一つのファンアウトラインが断線される時、その一つのファンアウトラインをリペアーする。
【００１７】
本発明の更に他の特徴を備えるリペアー方法によると、多数のファンアウトラインのうち、いずれか一つのファンアウトラインが断線される時、その一つのファンアウトラインの第１端部と第１リペアーラインとがオーバーラップしている第１領域にレーザーを照射して、その一つのファンアウトラインと第１リペアーラインとを電気的に接続させる。続いて、その一つのファンアウトラインの第２端部と第２リペアーラインとがオーバーラップしている第２領域にレーザーを照射して、その一つのファンアウトラインと第２リペアーラインとを電気的に接続させる。その後、第１リペアーラインの一端部と接続ラインとがオーバーラップしている第３領域にレーザーを照射して、第１リペアーラインと接続ラインとを電気的に接続させる。最後に、第２リペアーラインの一端部と接続ラインとがオーバーラップしている第４領域にレーザーを照射して、第２リペアーラインと連結ラインとを電気的に接続させる。
【発明の効果】
【００１８】
このようなアレイ基板、アレイ基板を有する表示装置、及びアレイ基板のリペアー方法によると、多数のファンアウトラインと絶縁され交差するように形成され、多数のファンアウトラインのみをリペアーするファンアウトライン専用のリペアー部が具備される。従って、アレイ基板の歩留まりを向上させることができ、信号ラインに印加された駆動信号が歪むことを防止することができる。
【発明を実施するための最良の形態】
【００１９】
以下に、添付の図面を参照して、本発明の好ましい実施例をより詳細に説明する。
【００２０】
図１は、本発明の一実施例によるアレイ基板を示す平面図である。
【００２１】
図１を参照すると、本発明の一実施例によるアレイ基板１０１は、表示領域ＤＡと、表示領域ＤＡに隣接する周辺領域ＰＡとに区分された基板１１０を含む。
【００２２】
表示領域に対応して、基板１１０上には、多数のゲートライン（ＧＬ１〜ＧＬｎ）と多数のデータライン（ＤＬ１〜ＤＬｍ）とが具備される。多数のゲートライン（ＧＬ１〜ＧＬｎ）は、第１方向Ｄ１に向かって延び、多数のデータライン（ＤＬ１〜ＤＬｍ）は、第１方向Ｄ１と直交する第２方向Ｄ２に向かって延びる。ゲートライン（ＧＬ１〜ＧＬｎ）とデータライン（ＤＬ１〜ＤＬｍ）とは互いに異なる層に具備され、互いに絶縁されて交差する。
【００２３】
表示領域ＤＡに対応して、基板１１０上には、多数の薄膜トランジスタと多数の画素電極とが、マトリックス形態で形成される。例えば、第１薄膜トランジスタ１１１のゲート電極は、多数のゲートライン（ＧＬ１〜ＧＬｎ）のうちの第１ゲートラインＧＬ１に接続され、ソース電極は、多数のデータライン（ＤＬ１〜ＤＬｍ）のうちの第１データラインＤＬ１に接続され、ドレイン電極は、第１画素電極１１２に接続される。
【００２４】
周辺領域ＰＡに対応して、基板１１０上には、多数のゲート側ファンアウトライン（ＧＦＬ１〜ＧＦＬｎ）と、多数のデータ側ファンアウトライン（ＤＦＬ１〜ＤＦＬｍ）とが具備される。ゲート側ファンアウトライン（ＧＦＬ１〜ＧＦＬｎ）は、ゲートライン（ＧＬ１〜ＧＬｎ）の一端に電気的に接続される。従って、ゲート側ファンアウトライン（ＧＦＬ１〜ＧＦＬｎ）に印加されたゲート信号は、ゲートライン（ＧＬ１〜ＧＬｎ）にそれぞれ提供される。ゲート側ファンアウトライン（ＧＦＬ１〜ＧＦＬｎ）とゲートライン（ＧＬ１〜ＧＬｎ）とは、互いに同一層に具備される。
【００２５】
一方、データ側ファンアウトライン（ＤＦＬ１〜ＤＦＬｍ）は、データライン（ＤＬ１〜ＤＬｍ）の一端に電気的に接続される。従って、データ側ファンアウトライン（ＤＦＬ１〜ＤＦＬｍ）に印加されたデータ信号は、データライン（ＤＬ１〜ＤＬｍ）にそれぞれ提供される。データ側ファンアウトライン（ＤＦＬ１〜ＤＦＬｍ）はデータライン（ＤＬ１〜ＤＬｍ）と互いに同一層に具備される。
【００２６】
周辺領域ＰＡに対応して、基板１１０上には、ゲート側ファンアウトライン（ＧＦＬ１〜ＧＦＬｎ）をリペアーするための第１リペアー部ＲＰ１と、データ側ファンアウトライン（ＤＦＬ１〜ＤＦＬｍ）をリペアーするための第２リペアー部ＲＰ２とが更に具備される。
【００２７】
第１リペアー部ＲＰ１は、第１リペアーラインＲＬ１、第２リペアーラインＲＬ２、及び第１接続ラインＣＬ１を含む。第１及び第２リペアーラインＲＬ１、ＲＬ２は、ゲート側ファンアウトライン（ＧＦＬ１〜ＧＦＬｎ）と異なる層に具備される。第１リペアーラインＲＬ１は、ゲート側ファンアウトライン（ＧＬＦ１〜ＧＦＬｎ）の第１端部（ゲート信号供給側の端部付近）と絶縁されれて交差し、第２リペアーラインＲＬ２は、ゲート側ファンアウトライン（ＧＦＬ１〜ＧＦＬｎ）の第２端部（ゲートライン側の端部付近）と絶縁されて交差する。
【００２８】
第１接続ラインＣＬ１は、ゲート側ファンアウトライン（ＧＦＬ１〜ＧＦＬｎ）と同一層に具備される。第１接続ラインＣＬ１の第１端部は、第１リペアーラインＲＬ１の一端部と絶縁されて交差し、第２端部は、第２リペアーラインＲＬ２の一端部と絶縁されて交差する。
【００２９】
図１に示すように、ゲート側ファンアウトライン（ＧＬＦ１〜ＧＦＬｎ）は４個のグループに分けられており、これに対応して、第１及び第２リペアーラインＲＬ１、ＲＬ２も４つに分離される。第１接続ラインＣＬ１は、多数の分離された第１及び第２リペアーラインＲＬ１、ＲＬ２とそれぞれ絶縁されて交差する。従って、第１リペアー部ＲＰ１は、合計４グループのゲート側ファンアウトラインをリペアーすることができる。
【００３０】
周辺領域ＰＡに対応して、基板１１０上には、ゲート側ファンアウトライン（ＧＦＬ１〜ＧＦＬｎ）を追加的にリペアーするための第１ダミーリペアー部ＤＲＰ１が更に具備される。第１ダミーリペアー部ＤＲＰ１は、第１ダミーリペアーラインＤＲＬ１、第２ダミーリペアーラインＤＲＬ２、及び第１ダミー接続ラインＤＣＬ１を含む。第１ダミーリペアー部ＤＲＰ１の構造は、第１リペアー部ＲＰ１の構造と同じであるので、具体的な説明は省略する。従って、第１ダミーリペアー部ＤＲＰ１は、合計４グループのゲート側ファンアウトラインをリペアーすることができる。
【００３１】
一方、第２リペアー部ＲＰ２は、第３リペアーラインＲＬ３、第４リペアーラインＲＬ４、及び第２接続ラインＣＬ２を含む。第３及び第４リペアーラインＲＬ３、ＲＬ４は、データ側ファンアウトライン（ＤＦＬ１〜ＤＦＬｍ）と互いに異なる層に具備される。第３リペアーラインＲＬ３は、データ側ファンアウトライン（ＤＦＬ１〜ＤＦＬｍ）の第１端部（データ信号供給側の端部付近）と、絶縁されて交差し、第４リペアーラインＲＬ４は、データ側ファンアウトライン（ＤＦＬ１〜ＤＦＬｍ）の第２端部（データライン側の端部付近）と絶縁されて交差する。
【００３２】
第２接続ラインＣＬ２は、データ側ファンアウトライン（ＤＦＬ１〜ＤＦＬｎ）と同一層に具備される。第２接続ラインＣＬ２の第１端部は、第３リペアーラインＲＬ３の一端部と絶縁されて交差し、第２端部は、第４リペアーラインＲＬ４の一端部と絶縁されて交差する。
【００３３】
図１に示すように、データ側ファンアウトライン（ＤＦＬ１〜ＤＦＬｍ）は３つのグループに分けられ、これに対応して、第３及び第４リペアーラインＲＬ３、ＲＬ４も３つに分離される。第２接続ラインＣＬ２は多数の第３及び第４リペアーラインＲＬ３、ＲＬ４とそれぞれ絶縁されて交差する。従って、第２リペアー部ＲＰ２は、合計３グループのデータ側ファンアウトラインをリペアーすることができる。
【００３４】
周辺領域ＰＡに対応して、基板１１０上には、データ側ファンアウトライン（ＤＦＬ１〜ＤＦＬｎ）を追加的にリペアーするための第２ダミーリペアー部ＤＲＰ２が更に具備される。第２ダミーリペアー部ＤＲＰ２は、第３ダミーリペアーラインＤＲＬ３、第４ダミーリペアーラインＤＲＬ４、及び第２ダミー接続ラインＤＣＬ２を含む。第２ダミーリペアー部ＤＲＰ２の構造は、第２リペアー部ＲＰ２の構造と同じであるので、具体的な説明は省略する。従って、第２ダミーリペアー部ＤＲＰ２は、合計３グループのデータ側ファンアウトラインをリペアーすることができる。
【００３５】
図２は、図１に図示されたゲート側ファンアウト部を拡大して示す平面図である。
【００３６】
図２を参照すると、周辺領域ＰＡにはゲート側ファンアウトライン（ＧＦＬｉ、ＧＦＬｊ、・・・）が具備され、表示領域ＤＡにはゲート側ファンアウトライン（ＧＦＬｉ、ＧＦＬｊ、・・・）から延長されたゲートライン（ＧＬｉ、ＧＬｊ、・・・）が具備される。周辺領域ＰＡには、ゲート側ファンアウトライン（ＧＦＬｉ、ＧＦＬｊ、・・・）をリペアーするための第１リペアー部ＲＰ１と第１ダミーリペアー部ＤＲＰ１とが具備される。第１リペアー部ＲＰ１は、第１リペアーラインＲＬ１、第２リペアーラインＲＬ２、及び第１接続ラインＣＬ１を含み、第１ダミーリペアー部ＤＲＰ１は、第１ダミーリペアーラインＤＲＬ１、第２ダミーリペアーラインＤＲＬ２、及び第１ダミー接続ラインＤＣＬ１を含む。
【００３７】
第１及び第２領域ＯＰ１、ＯＰ２で、第ｉファンアウトラインＧＦＬｉと第ｊファンアウトラインＧＦＬｊとがそれぞれ断線されると、第１リペアー部ＲＰ１は第ｉファンアウトラインＧＦＬｉをリペアーし、第１ダミーリペアー部ＤＲＰ１は第ｊファンアウトラインＧＦＬｊをリペアーする。
【００３８】
第１リペアー部ＲＰ１が第ｉファンアウトラインＧＦＬｉをリペアーする過程は次のようである。
【００３９】
図３は、図２に示すＩ−Ｉ’に沿った断面図であり、図４は、図２に示されたＩＩ−ＩＩ’に沿った断面図である。
【００４０】
図２及び図３を参照する。第１リペアーラインＲＬ１と第ｉファンアウトラインＧＦＬｉの第１端部とが第１絶縁膜１１３により互いに絶縁されてオーバーラップした部分に、レーザーを照射する。又、第２リペアーラインＲＬ２と第ｉファンアウトラインＧＦＬｉの第２端部とが第１絶縁膜１１３により互いに絶縁されてオーバーラップした部分に、レーザーを照射する。そうすることにより、第１レーザーポイント（レーザー照射点）ＬＰ１で、第１リペアーラインＲＬ１は、第ｉファンアウトラインＧＦＬｉの第１端部と電気的に接続される。又、第２レーザーポイントＬＰ２で、第２リペアーラインＲＬ２は、第ｉファンアウトラインＧＦＬｉの第２端部と電気的に接続される。
【００４１】
次に、図２及び図４を参照する。これらの図に示すように、第１接続ラインＣＬ１と第１リペアーラインＲＬ１とが第１絶縁膜１１３により互いに絶縁されてオーバーラップした部分に、レーザーを照射する。又、第１接続ラインＣＬ１と第２リペアーラインＲＬ２とが第１絶縁膜１１３により互いに絶縁されてオーバーラップした部分に、レーザーを照射する。そうすることにより、第１接続ラインＣＬ１は、第３レーザーポイントＬＰ３で第１リペアーラインＲＬ１と電気的に接続され、第４レーザーポイントＬＰ４で第２リペアーラインＲＬ２と電気的に接続される。
【００４２】
このように第１接続ラインＣＬ１は、第１及び第２リペアーラインＲＬ１、ＲＬ２と互いに異なる層に具備されるので、レーザーを照射する工程の後に第１及び第２リペアーラインＲＬ１、ＲＬ２と電気的に接続される。
【００４３】
従って、断線により開路となっていた第ｉファンアウトラインＧＦＬｉの第１及び第２端部は、第１リペアー部ＲＬ１を通じて電気的に接続される。その結果、外部から第１ファンアウトラインＧＦＬｉの第１端部に提供されたゲート信号は、第１リペアーラインＲＬ１、第１接続ラインＣＬ１、第２リペアーラインＲＬ２、第１ファンアウトラインＧＦＬｉの第２端部を順次に経由して、第ｉゲートラインＧＬｉに提供される。
【００４４】
一方、第１ダミーリペアー部ＤＲＰ１により第ｊファンアウトラインＧＦＬｊをリペアーする過程は次のようである。
【００４５】
図５は、図２に示されたＩＩＩ−ＩＩＩ’に沿った断面図であり、図６は、図２に示されたＩＶ−ＩＶ’に沿った断面図である。
【００４６】
図２及び図５を参照する。第１ダミーリペアーラインＤＲＬ１と第ｊファンアウトラインＧＦＬｊの第１端部とが第１絶縁膜１１３により互いに絶縁されてオーバーラップした部分に、レーザーを照射する。又、第２ダミーリペアーラインＤＲＬ２と第ｊファンアウトラインＧＦＬｊの第２端部とが第１絶縁膜１１３により互いに絶縁されてオーバーラップした部分に、レーザーを照射する。そうすることにより、第５レーザーポイントＬＰ５で、第１ダミーリペアーラインＤＲＬ１は、第ｊファンアウトラインＧＦＬｊの第１端部と電気的に接続される。又、第６レーザーポイントＬＰ２で、第２ダミーリペアーラインＤＲＬ２は、第ｊファンアウトラインＧＦＬｊの第２端部と電気的に接続される。
【００４７】
次に図２及び図６を参照する。これらの図に示すように、第１ダミー接続ラインＤＣＬ１と第１ダミーリペアーラインＤＲＬ１とが第１絶縁膜１１３によって互いに絶縁されてオーバーラップした部分に、レーザーを照射する。又、第１ダミー接続ラインＤＣＬ１と第２ダミーリペアーラインＤＲＬ２とが第１絶縁膜１１３により互いに絶縁されてオーバーラップした部分に、レーザーを照射する。そうすることにより、第１ダミー接続ラインＤＣＬ１は、第７レーザーポイントＬＰ７で第１ダミーリペアーラインＤＲＬ１と電気的に接続され、第８レーザーポイントＬＰ８で第２ダミーリペアーラインＤＲＬ２と電気的に接続される。
【００４８】
このように、第１ダミー接続ラインＤＣＬ１は、第１及び第２ダミーリペアーラインＤＲＬ１、ＤＲＬ２と互いに異なる層に具備されるので、レーザーを照射する工程の後に、第１及び第２ダミーリペアーラインＤＲＬ１、ＤＲＬ２と電気的に接続される。
【００４９】
従って、断線により開路となった第ｊファンアウトラインＧＦＬｊの第１及び第２端部は、第１ダミーリペアー部ＤＲＰ１を通じて電気的に接続される。その結果、外部から第ｊファンアウトラインＧＦＬｊの第１端部に提供されたゲート信号は、第１ダミーリペアーラインＤＲＬ１、第１ダミー接続ラインＤＣＬ１、第２ダミーリペアーラインＤＲＬ２、第ｊファンアウトラインＧＦＬｊの第２端部を順次に経由して、第ｊゲートラインＧＬｊに提供される。
【００５０】
図２を更に参照すると、リペアーラインＲＬ１、ＲＬ２、ＤＲＬ１、ＤＲＬ２は、多数のゲート側ファンアウトラインとオーバーラップした部分で、第１配線幅Ｗ１を有し、オーバーラップしていない部分で、第１配線幅Ｗ１より大きい第２配線幅Ｗ２を有する。従って、リペアーラインＲＬ１、ＲＬ２、ＤＲＬ１、ＤＲＬ２と多数のゲート側ファンアウトラインとのオーバーラップする部分の面積が、全体的に減少される。
【００５１】
ラインのオーバーラップする部分の面積が減少されると、リペアーラインＲＬ１、ＲＬ２、ＤＲＬ１、ＤＲＬ２と多数のゲート側ファンアウトラインとの間に形成されるキャパシタンスが減少される。その結果、多数のファンアウトラインのライン抵抗が減少され、多数のゲート側ファンアウトラインに印加されたゲート信号の遅延及び歪みを防止することができる。
【００５２】
図２乃至図６では、ゲート側ファンアウト部のみを示したが、データ側ファンアウト部も上述の過程と同じ過程を通じてリペアーされる。
【００５３】
図７は、本発明の他の実施例によるゲート側ファンアウト部を示す平面図である。
【００５４】
図７を参照すると、第１リペアー部ＲＰ１は、第１リペアーランＲＬ１、第２リペアーラインＲＬ２、及び第３接続ラインＣＬ３を含む。第１、第２リペアーラインＲＬ１、ＲＬ２及び第３接続ラインＣＬ３のそれぞれは、多数のゲート側ファンアウトラインと異なる層に具備される。
【００５５】
第１リペアーラインＲＬ１は、多数のゲート側ファンアウトラインの第１端部（ゲート信号供給側の端部付近）と絶縁されて交差し、第２リペアーラインＲＬ２は、多数のゲート側ファンアウトラインの第２端部（ゲートライン側の端部付近）と絶縁されて交差する。第３接続ラインＣＬ３は、第１及び第２リペアーラインＲＬ１、ＲＬ２から延長され、所定の間隔で離隔された第１リペアーラインＲＬ１と第２リペアーラインＲＬ２とを電気的に接続する。即ち、第１リペアーラインＲＬ１と、第２リペアーラインＲＬ２と、第３接続ラインＣＬ３とは、接続した状態にある。
【００５６】
第ｉファンアウトラインＧＦＬｉが断線して開路となった場合、第１及び第２レーザーポイントＬＰ１、ＬＰ２にのみレーザーを照射する。それにより、第ｉファンアウトラインＧＦＬｉの第１端部と第１リペアーラインＲＬ１とが第１レーザーポイントＬＰ１で電気的に接続され、第ｉファンアウトラインＧＦＬｉの第２端部と第２リペアーラインＲＬ２とが第２レーザーーポイントＬＰ２で電気的に接続される。
【００５７】
従って、断線して開路となった第ｉファンアウトラインＧＦＬｉの第１及び第２端部は、第１リペアー部ＲＰ１を通じて電気的に接続される。その結果、外部から第ｉファンアウトラインＧＦＬｉの第１端部に提供されたゲート信号は、第１リペアーラインＲＬ１、第３接続ラインＣＬ３、第２リペアーラインＲＬ２、第ｉファンアウトラインＧＦＬｉの第２端部を順次に経由して、第ｉゲートラインＧＬｉに提供される。
【００５８】
一方、第１ダミーリペアー部ＤＲＰ１は、第１ダミーリペアーラインＤＲＬ１、第２ダミーリペアーラインＤＲＬ２、及び第３ダミー接続ラインＤＣＬ３を含む。第１、第２ダミーリペアーラインＤＲＬ１、ＤＲＬ２、及び第３ダミー接続ラインＤＣＬ３のそれぞれは、多数のゲート側ファンアウトラインと異なる層に具備される。
【００５９】
第１ダミーリペアーラインＤＲＬ１は、多数のゲート側ファンアウトラインの第１端部と絶縁されて交差し、第２ダミーリペアーラインＤＲＬ２は、多数のゲート側ファンアウトラインの第２端部と絶縁されて交差する。第３ダミー接続ラインＣＬ３は、第１及び第２ダミーリペアーラインＤＲＬ１、ＤＲＬ２から延長され、所定間隔で離隔された第１及び第２ダミーリペアーラインＤＲＬ１、ＤＲＬ２を電気的に接続する。即ち、第１ダミーリペアーラインＤＲＬ１と、第２ダミーリペアーラインＤＲＬ２と、第３ダミー接続ラインＤＣＬ３とは、接続した状態にある。
【００６０】
第ｊファンアウトラインＧＦＬｊが断線して開路となった場合、第５及び第６レーザーポイントＬＰ５、ＬＰ６にのみレーザーを照射する。それにより、第ｊファンアウトラインＧＦＬｊの第１端部と第１リペアーラインＲＬ１とが第５レーザーポイントＬＰ５で電気的に接続され、第ｊファンアウトラインＧＦＬｊの第２端部と第２ダミーリペアーラインＤＲＬ２とが第６レーザーポイントＬＰ６で電気的に接続される。
【００６１】
従って、断線して開路となった第ｊファンアウトラインＧＦＬｊの第１及び第２端部は、第１ダミーリペアー部ＤＲＰ１を通じて電気的に接続される。その結果、外部から第ｊファンアウトラインＧＦＬｊの第１端部に提供されたゲート信号は、第１ダミーリペアーラインＤＲＬ１、第３ダミー接続ラインＤＣＬ３、第２ダミーリペアーラインＤＲＬ２、第ｊファンアウトラインＧＦＬｊの第２端部を順次に経由して、第ｊゲートラインＧＬｊに提供されることができる。
【００６２】
図８は、本発明の更に他の実施例によるアレイ基板を示す平面図である。図８では、図１に示された構成要素と同じ構成要素には、同じ参照符号を付しており、それらの構成要素に関する重複した説明は省略する。
【００６３】
図８を参照すると、アレイ基板１０２は、表示領域ＤＡと、表示領域ＤＡに隣接する周辺領域ＰＡとに区分される基板１１０を含む。
【００６４】
表示領域ＤＡに対応して、基板１１０上には、多数のゲートライン（ＧＬ１〜ＧＬｎ）と多数のデータライン（ＤＬ１〜ＤＬｍ）とが具備される。多数のゲートライン（ＧＬ１〜ＧＬｎ）は、第１方向Ｄ１に向かって延び、多数のデータライン（ＤＬ１〜ＤＬｍ）は、第１方向Ｄ１と直交する第２方向Ｄ２に向かって延びる。ゲートライン（ＧＬ１〜ＧＬｎ）とデータライン（ＤＬ１〜ＤＬｍ）とは互いに異なる層に具備され、互いに絶縁されて交差する。
【００６５】
基板１１０上には、多数のゲートライン（ＧＬ１〜ＧＬｎ）のうちの、いずれか一つのゲートラインをリペアーする第３リペアー部ＲＰ３と、多数のデータライン（ＤＬ１〜ＤＬｍ）のうちの、いずれか一つのデータラインをリペアーする第４リペアー部ＲＰ４とが具備される。
【００６６】
第３リペアー部ＲＰ３は、第３リペアーラインＲＬ３、第４リペアーラインＲＬ４、及び第４接続ラインＣＬ４を含む。第３リペアーラインＲＬ３は、多数のゲートライン（ＧＬ１〜ＧＬｎ）の第１端部と絶縁されて交差し、第４リペアーラインＲＬ４は、多数のゲートライン（ＧＬ１〜ＧＬｎ）の第２端部と絶縁されて交差する。第４接続ラインＣＬ４は、所定の間隔で離隔された第３リペアーラインＲＬ３と第４リペアーラインＲＬ４とを電気的に接続する。
【００６７】
多数のゲートライン（ＧＬ１〜ＧＬｎ）のうち、第ｐゲートラインＧＬｐが第３領域ＯＰ３で断線すると、第９レーザーポイントＬＰ９で、第３リペアーラインＲＬ３は第ｐゲートラインＧＬｐの第１端部（ファンアウトライン側の端部付近）と電気的に接続され、第１０レーザーポイントＬＰ１０で、第４リペアーラインＲＬ４は、第ｐゲートラインＧＬｐの第２端部（ファンアウトライン側の反対側の端部付近）と電気的に接続される。
【００６８】
それにより、第ｐゲートラインＧＬｐの第１端部側から提供されたゲート信号は、第３リペアーラインＲＬ３、第４接続ラインＣＬ４、第４リペアーラインＲＬ４を経由して第２端部側に提供される。これにより、断線された第ｐゲートラインＧＬｐが第３リペアー部ＲＰ３によりリペアーされる。
【００６９】
一方、第４リペアー部ＲＰ４は、第５リペアーラインＲＬ５、第６リペアーラインＲＬ６、及び第５接続ラインＣＬ５を含む。第５リペアーラインＲＬ５は、多数のデータライン（ＤＬ１〜ＤＬｍ）の第１端部（ファンアウトライン側の端部付近）と絶縁されて交差し、第６リペアーラインＲＬ６は、多数のデータライン（ＤＬ１〜ＤＬｎ）の第２端部（ファンアウトライン側の反対側の端部付近）と絶縁されて交差する。第５接続ラインＣＬ５は、所定の間隔で離隔された第５リペアーラインＲＬ５と第６ＲＬ６とを電気的に接続する。
【００７０】
多数のデータライン（ＤＬ１〜ＤＬｍ）のうち、第ｑゲートラインＤＬｑが第４領域ＯＰ４で断線すると、第１１レーザーポイントＬＰ１１で、第５リペアーラインＲＬ５は、第ｑデータラインＤＬｑの第１端部と電気的に接続され、第１２レーザーポイントＬＰ１２で、第６リペアーラインＲＬ６は、第ｑデータラインＤＬｑの第２端部と電気的に接続される。
【００７１】
それにより、第ｑデータラインＤＬｑの第１端部側から提供されたデータ信号は、第５リペアーラインＲＬ５、第５接続ラインＣＬ５、第６リペアーラインＲＬ６を経由して、第２端部側に提供される。これにより、断線された第ｑデータラインＤＬｑが第４リペアー部ＲＰ４によりリペアーされる。
【００７２】
図示していないが、基板１１０には、多数のゲートライン（ＧＬ１〜ＧＬｎ）のうちのいずれか一つのゲートラインを追加的にリペアーするための第３ダミーリペアー部、及び多数のデータライン（ＤＬ１〜ＤＬｍ）のうちのいずれか一つのデータラインを追加的にリペアーするための第４ダミーリペアー部を更に具備することができる。
【００７３】
図９は、図１に示されたアレイ基板を有する表示装置を示す平面図である。図９に示された構成要素のうち、図１に示された構成要素と同じ構成要素には、同じ参照符号を付与し、それらの構成要素についての重複した説明は省略する。
【００７４】
図９を参照すると、表示装置４００は、アレイ基板１０１、対向基板２００、及び液晶層（図示せず）で構成された、画像を表示する表示パネル３００を含む。表示装置４００は、ゲート信号を出力する多数のゲート駆動チップ３１０と、データ信号を出力する多数のデータ駆動チップ３２０とを更に含む。
【００７５】
多数のゲート駆動チップ３１０は、アレイ基板１０１の周辺領域ＰＡに実装され、多数のゲート側ファンアウトライン（ＧＦＬ１〜ＧＦＬｎ）と電気的に接続される。本発明の一例として、多数のゲート側ファンアウトライン（ＧＦＬ１〜ＧＦＬｎ）は４個のグループに分けられ、各グループは対応するゲート駆動チップ３１０からゲート信号の入力を受ける。
【００７６】
多数のデータ駆動チップ３２０は、アレイ基板１０１の周辺領域ＰＡに実装され、多数のデータ側ファンアウトライン（ＤＦＬ１〜ＤＦＬｍ）と電気的に接続される。本発明の一例として、多数のデータ側ファンアウトライン（ＤＦＬ１〜ＤＦＬｍ）は３個のグループに分けられ、各グループは対応するデータ駆動チップ３２０からデータ信号の入力を受ける。
【００７７】
従って、表示パネル３００は、多数のゲート駆動チップ３１０と多数のデータ駆動チップ３２０とから、ゲート信号とデータ信号とをそれぞれ提供されて画像を表示する。
【産業上の利用可能性】
【００７８】
このようなアレイ基板、アレイ基板を有する表示装置、及びアレイ基板のリペアー方法によると、多数のファンアウトラインと絶縁され交差するように形成され、多数のファンアウトラインのみをリペアーするファンアウトライン専用のリペアー部が具備される。従って、断線された多数のファンアウトラインをリペアーすることができるので、アレイ基板の製造の歩留まりを向上させることができる。
【００７９】
また、多数のファンアウトラインをリペアーするリペアー部は、多数のファンアウトラインと絶縁されて交差する。従って、リペアー部が表示領域に具備されたゲート及びデータラインと交差しないので、ゲート及びデータラインにそれぞれ提供されるゲート及びデータ信号がリペアー部の影響で歪むことを防止することができる。
【００８０】
以上、本発明を実施例に基づいてて詳細に説明したが、本発明は実施例に限定されず、本発明が属する技術分野において通常の知識を有するものであれば本発明の思想と精神を離れることなく、本発明を修正または変更できる。
【図面の簡単な説明】
【００８１】
【図１】本発明の一実施例によるアレイ基板を示す平面図である。
【図２】図１に図示されたゲート側のファンアウト部を拡大して示す平面図である。
【図３】図２に図示されたＩ−Ｉ’に沿った断面図である。
【図４】図２に図示されたＩＩ−ＩＩ’に沿った断面図である。
【図５】図２に図示されたＩＩＩ−ＩＩＩ’に沿った断面図である。
【図６】図２に図示されたＩＶ−ＩＶ’に沿った断面図である。
【図７】本発明の他の実施例によるゲート側のファンアウト部を示す平面図である。
【図８】本発明の更に他の実施例によるアレイ基板を示す平面図である。
【図９】図１に示されたアレイ基板を有する表示装置を示す平面図である。
【符号の説明】
【００８２】
１０１、１０２  アレイ基板
１１０  基板
１１１  薄膜トランジスタ
１１２  画素電極
１１３  絶縁膜
２００  対向基板
３００  表示パネル
３１０  ゲート駆動チップ
３２０  データ駆動チップ
４００  表示装置
【図１】
2006171672.tif 000003
【図２】
2006171672.tif 000004
【図３】
2006171672.tif 000005
【図４】
2006171672.tif 000006
【図５】
2006171672.tif 000007
【図６】
2006171672.tif 000008
【図７】
2006171672.tif 000009
【図８】
2006171672.tif 000010
【図９】
2006171672.tif 000011